(57)【要約】【課題】郵便ポストに投函することができ、発送手段の選択肢を広げ発送費用を下げることができる偏平チューブ容器を提供する。【解決手段】底部が扁平形状にシールされた合成樹脂製の容器本体１を形成する。容器本体１の抽出口部２を設けたショルダー部３を形成する。抽出口部２に装着されるキャップ４を形成する。ショルダー部３とキャップ４との頂部の平面形状を扁平な円形状に形成する。ショルダー部３とキャップ４との頂部の平面形状を小判型形状又は長円形状にする。容器本体１を直径35mm〜40mmの筒体にて形成する。ショルダー部３とキャップ４との短軸側の直径が夫々15mm〜20mmとする。ショルダー部３とキャップ４とを郵便ポストの投函口に投函できるように構成する。【選択図】  図２
0003215965.tif 000002
【実用新案登録請求の範囲】
【請求項１】
底部が扁平形状にシールされた合成樹脂製の容器本体と、容器本体の抽出口部を設けたショルダー部と、抽出口部に装着されるキャップとで構成された合成樹脂製のチューブ容器において、ショルダー部とキャップとの平面形状を郵便ポストの投函口に投函できる扁平な円形状に形成したことを特長とする扁平チューブ容器。
【請求項２】
前記ショルダー部と前記キャップとの夫々平面形状は、楕円形状又は長円形状になるように構成された請求項１記載の扁平チューブ容器。
【請求項３】
前記容器本体は直径35mm〜40mmの筒体にて形成され、前記ショルダー部と前記キャップとの扁平な円形の短軸側の直径が夫々15mm〜20mmとなるように構成された請求項１記載の扁平チューブ容器。
【考案の詳細な説明】
【技術分野】
【０００１】
本考案は、例えば化粧品等を収納しているチューブ容器を郵便ポストに投函できるように構成することで、発送手段の選択肢を広げ発送費用を下げることができる偏平チューブ容器に関する。
【背景技術】
【０００２】
インターネットの普及により通信販売の販売形態をとる事業者が増えてきている。このような事業者にとって発送費用は大きな出費でありその費用を抑えることはコストの削減で収益となる。
【０００３】
特許文献１にチューブ容器を収納する包装容器を小型化できて輸送コストを削減するための合成樹脂製チューブ容器の包装箱が提案されている。この包装箱によると、扁平形状にシールされた合成樹脂製のチューブ容器を左右に並べて包装箱内に収納するもので、チューブ容器の扁平面を上下方向に向けると共に、一本おきにチューブ容器の前後の向きを逆にし、且つ、チューブ容器同士を密着させた状態で水平に並べることにより効率的な収納が可能になり、輸送コストを削減することができるというものである。
【０００４】
一方、容器自体を扁平に構成したチューブ容器が特許文献２に記載されている。このチューブ容器は、チューブ容器の側面にパフを収納するように構成したチューブ容器である。すなわち、チューブ容器の容器部分を扁平な筒状に形成すると共に、この扁平な容器部分にパフを収納するパフ収納部を設けたものである。
【先行技術文献】
【特許文献】
【０００５】
【特許文献１】特開２００３−１０４３６９号公報
【特許文献２】実開平５−８８４１１号公報
【考案の概要】
【考案が解決しようとする課題】
【０００６】
特許文献１に記載の包装箱によると、複数本のチューブ容器を輸送するのに好適であるが、仮に単品若しくは少数本のチューブ容器を発送する場合でも通常の配送物の扱いとなるので配送費用が嵩むことになる。すなわち、チューブ容器を発送する際に、郵便ポストに投函することができると、郵送による発送が可能になり、運送会社が配達する配送手段に要する費用よりも安価に利用することができる。
【０００７】
しかしながら、現在使用されている郵便ポストは、旧型ポストの７号、８号や現行型ポストの10号、11号などで、投函口の幅が20cm〜29cmとなり、投函できる郵便物の厚みは、およそ3cm〜3.8cmに制限されることになる。そのため、化粧品などに使用されている直径35mm〜40mmの丸型のチューブ容器を包装して配送する場合、単品のチューブ容器を発送する場合でも郵便ポストに投函することはできなかった。
【０００８】
したがって、このようなチューブ容器の発送には、運送会社が配達する配送手段に限定されているのが現状である。ところが配送手段では、郵送に比べてコストがかかる上に、近年、運送会社の問題となっている不在時における再配達のリスクが生じる可能性もあった。
【０００９】
一方、特許文献２に記載のように扁平なチューブ容器も提案されている。ところが、この扁平チューブ容器は、チューブ容器体にパフを収納するために扁平にしたもので、郵便ポストに投函することはできない構成のチューブ容器であった。
【００１０】
そこで、本考案は上述の課題を解消すべく創出されたもので、郵便ポストに投函することができ、発送手段の選択肢を広げ発送費用を下げることができる偏平チューブ容器の提供を目的とするものである。
【課題を解決するための手段】
【００１１】
上述の課題を解決すべく本考案の第１の手段は、底部が扁平形状にシールされた合成樹脂製の容器本体１と、容器本体１の抽出口部２を形成したショルダー部３と、抽出口部２に装着されるキャップ４とで構成された合成樹脂製のチューブ容器１０において、ショルダー部３とキャップ４との平面形状を郵便ポストの投函口に投函できる扁平な円形状に形成したことにある。
【００１２】
第２の手段において、前記ショルダー部３と前記キャップ４との夫々平面形状は、楕円形状又は長円形状になるように構成されたものである。
【００１３】
第３の手段において、前記容器本体１は直径35mm〜40mmの筒体にて形成され、前記ショルダー部３と前記キャップ４との扁平な円形の短軸側の直径が夫々15mm〜20mmとなるように構成されたものである。
【考案の効果】
【００１４】
本考案の請求項１のごとく、ショルダー部３とキャップ４との平面形状を郵便ポストの投函口に投函できる扁平な円形状に形成したことにより、これまで困難とされていたチューブ入りの化粧品等を郵送にて発送することが可能になった。この結果、運送会社が配達する配送手段にかかる費用よりも安価に発送することができる。また、本考案チューブ容器を発送先の郵便受けに投函できるので、発送先が不在の場合でも再配達になるリスクも解消された。
【００１５】
請求項２のように、ショルダー部３とキャップ４との平面形状が楕円形状又は長円形状になるように構成したことで、通常のチューブ容器の容量を変えずに扁平なチューブ容器１０に形成することが可能になる。この結果、例えば通信販売にて現在販売している化粧品の容量を変えずに郵送することが可能になった。
【００１６】
しかも、ショルダー部３とキャップ４との平面形状が楕円形状又は長円形状になるように構成しているので、チューブ容器１０全体がスリムになり、ハンドバック等に収納してもかさばらず、携帯性に優れた容器になる。
【００１７】
更に、ショルダー部３の平面形状を楕円形状又は長円形状にすると、ショルダー部３の厚みが薄くなり内容物を絞り出す際に、最後まで容易に絞り出すことができる。また、このようなショルダー部３に容器本体１を一体化すると、容器本体１の正面部分あるいは背面部分も扁平になるので印刷面の範囲が大きくなり、丸型チューブや楕円チューブよりも印刷面を目立たせることができる。
【００１８】
請求項３のごとく、容器本体１は直径35mm〜40mmの筒体にて形成され、ショルダー部３とキャップ４との扁平な円形の短軸側の直径が夫々15mm〜20mmとなるように構成することで、現在販売されているチューブ入りの化粧品の容量を変えずに郵送することが可能になる。したがって、インターネットの通信販売でチューブ入りの化粧品を販売し、この商品を発送する際に極めて効率の良い発送が可能になる。
【００１９】
このように、本考案によると、チューブ容器を郵便ポストに投函することができ、発送手段の選択肢を広げ発送費用を安価にすることが可能になり、配達先が不在でも再配達の必要がなくなるなどといった産業上有益な種々の効果を奏するものである。
【図面の簡単な説明】
【００２０】
【図１】本考案の一実施例を示す斜視図である。
【図２】本考案の一実施例を示す分解斜視図である。
【図３】本考案のショルダー部とキャップとを示す平面図である。
【図４】本考案の容器本体とショルダー部とを示す分解斜視図である。
【図５】本考案チューブ容器を封筒に封入する状態を示す斜視図である。
【図６】本考案を入れた封筒を郵便ポストに投函する状態を示す斜視図である。
【図７】従来のチューブ容器を示す斜視図である。
【考案を実施するための形態】
【００２１】
以下、本考案の実施の形態を説明する。本考案は、例えば化粧品等を収納する合成樹脂製のチューブ容器１０である（図１参照）。本考案チューブ容器１０は、容器本体１、ショルダー部３、キャップ４にて構成されている。容器本体１は、底部が扁平形状にシールされた合成樹脂製の筒状容器である（図２参照）。ショルダー部３は、容器本体１の抽出口部２を形成した部材で、容器本体１の開口端部に設けられる。キャップ４はショルダー部３の抽出口部２に着脱自在に装着する部材である。
【００２２】
本考案では、チューブ容器１０全体を郵便ポストの投函口に投函できる扁平な円形状に形成している（図１参照）。すなわち、現在使用されている一般的な郵便ポストＰの投函口Ｐ１は、幅が20cm〜29cmであり、これらの投函口Ｐ１に投函できる郵便物の厚みは、3cm〜3.8cm位までとなっている。
【００２３】
そのため、化粧品などに使用されている直径35mm〜40mmのチューブ容器２０を発送する場合、そのままでは郵便ポストＰの投函口Ｐ１に投函することはできない（図７参照）。そこで本考案では、ショルダー部３とキャップ４との頂部の平面形状を郵便ポストＰの投函口Ｐ１に投函できる扁平な円形状に形成している（図３参照）。
【００２４】
容器本体１を直径35mm〜40mmの筒体にて形成すると、従来のチューブ容器２０と同じ容量の容器本体１を構成することができる（図４参照）。更に、ショルダー部３とキャップ４との夫々平面形状を、楕円形状又は長円形状になるように構成し、このショルダー部３に容器本体１を一体化してキャップ４を施蓋すると、チューブ容器１０全体が扁平な円形状になり、郵便ポストＰの投函口Ｐ１に投函可能なチューブ容器１０が構成される（図１参照）。
【００２５】
特に、ショルダー部３とキャップ４との扁平な円形の短軸側の直径が夫々15mm〜20mmとなるように構成することで、従来のチューブ容器２０と同じ容量のチューブ容器１０を構成することが可能になる。この結果、インターネットの通信販売でチューブ入りの化粧品を販売し、この商品を発送するような場合に、単品又は数本の本考案チューブ容器１０を郵送用の封筒Ｑに封入することが可能になる（図５参照）。そして、チューブ容器１０を封入した封筒Ｑを郵便ポストＰの投函口Ｐ１に投函することで、郵送にて発送することが可能になるものである（図６参照）。
【００２６】
尚、本考案の構成は図示の実施例に限定されるものではなく、容器本体１、抽出口部２、ショルダー部３、キャップ４等の各構成の形状や材質、あるいはチューブ容器１０の用途等は、本考案の要旨を変更しない範囲で任意に変更することができる。
【符号の説明】
【００２７】
Ｐ  郵便ポスト
Ｐ１  投函口
Ｑ  封筒
１  容器本体
２  抽出口部
３  ショルダー部
４  キャップ
１０  チューブ容器
２０  従来のチューブ容器
【図１】
0003215965.tif 000003
【図２】
0003215965.tif 000004
【図３】
0003215965.tif 000005
【図４】
0003215965.tif 000006
【図５】
0003215965.tif 000007
【図６】
0003215965.tif 000008
【図７】
0003215965.tif 000009
【手続補正書】
【提出日】平成30年2月13日(2018.2.13)
【手続補正２】
【補正対象書類名】明細書
【補正対象項目名】０００１
【補正方法】変更
【補正の内容】
【０００１】
本考案は、例えば化粧品等を収納しているチューブ容器を郵便ポストに投函できるように構成することで、発送手段の選択肢を広げ発送費用を下げることができる扁平チューブ容器に関する。
【手続補正３】
【補正対象書類名】明細書
【補正対象項目名】００１０
【補正方法】変更
【補正の内容】
【００１０】
そこで、本考案は上述の課題を解消すべく創出されたもので、郵便ポストに投函することができ、発送手段の選択肢を広げ発送費用を下げることができる扁平チューブ容器の提供を目的とするものである。